(57)【要約】無線通信システム（１００）は、適応多重レート音声符号化を用いる回路切替接続と、第１移動装置（１１０）を含む。第１移動装置は、基地局（１３０）によって第１時間スロットに割当される。基地局は、パケット切替接続と第２移動装置（１２０）を提供し、第２時間スロットに割当する。第１移動装置の非音声データＡＭＲフレーム中に基地局は、最初に割当した第２時間スロットにおいてだけでなく第１時間スロットにおいて、第２移動装置にデータ送信するよう命令する。基地局が第１移動装置からＡＭＲアクセスバースト（ＡＡＢ）を受信すると、基地局は、第２移動装置から第１移動装置へのデータ送信命令を停止する。第２移動装置が第１時間スロットにおいてデータ送信するときに第２移動装置が使用する５２マルチフレーム構造は、第１移動装置がＡＭＲアクセスバーストを送信できるときに１以上のＡアイドルフレームを含む。
2010533398.tif 000002
【特許請求の範囲】
【請求項１】
第１移動装置、第２移動装置、およびＧＰＲＳ基地局を有する無線通信システムであって、
前記第１移動装置は、適応多重レート音声符号化を用いる回路切替接続を有し、第１時間スロットに割当され、
前記第２移動装置はパケット切替接続を有し、第２時間スロットに割当され、
前記ＧＰＲＳ基地局は、前記第１移動装置の非音声データ適応多重レートフレーム中に前記第２移動装置が前記第１時間スロットにおいて通信データを送信するよう命令し、
前記第２移動装置は、２つの通信データブロック間に位置するＡアイドルフレームを有する５２マルチフレーム構造を用いて前記通信データを送信し、
前記第１移動装置は、前記Ａアイドルフレームを用いて適応多重レートアクセスバーストを前記ＧＰＲＳ基地局に送信しうることを特徴とする、無線通信システム。
【請求項２】
前記ＧＰＲＳ基地局が前記第１移動装置から前記適応多重レートアクセスバーストを受信するときに、前記ＧＰＲＳ基地局は、前記第２移動装置が前記第１時間スロットにおいて前記通信データを送信することを命令することを停止する、
請求項１記載の無線通信システム。
【請求項３】
前記ＧＰＲＳ基地局は、ＥＧＰＲＳ基地局である、請求項１記載の無線通信システム。
【請求項４】
前記無線通信システムはさらに第３移動装置を有し、
前記第３移動装置はパケット切替接続を有し、第３時間スロットに割当され、
前記ＧＰＲＳ基地局は、前記第１移動装置の、他の非音声データ適応多重レートフレーム中に、前記第３移動装置が前記第１時間スロットにおいて通信データを送信することを命令する、請求項１記載の無線通信システム。
【請求項５】
前記ＧＰＲＳ基地局はまた、前記第１移動装置の、他の非音声データ適応多重レートフレーム中に、前記第２移動装置が前記第１時間スロットにおいて前記通信データを受信することを命令する、請求項１記載の無線通信システム。
【請求項６】
ＧＰＲＳ基地局による通信方法であって、前記通信方法は：
適応多重レート音声バーストを、第１時間スロットにおいて第１移動装置から受信するステップと；
無音記述子第１適応多重レートフレームを、前記第１時間スロットにおいて前記第１移動装置から受信するステップと；
前記第１時間スロットを第２移動装置に割当するステップであって、前記第２移動装置は前記ＧＰＲＳ基地局によって作用され、かつ前記第２移動装置は前記第１移動装置の非音声データ適応多重レートフレーム中のパケット切替接続を有することと；
２つの通信データブロック間に位置するＡアイドルフレームを有する５２マルチフレーム構造を用いて、パケット切替データを前記第２移動装置から受信するステップであって、前記第１移動装置は、前記Ａアイドルフレームを用いて適応多重レートアクセスバーストを前記ＧＰＲＳ基地局に送信しうることと
を備えることを特徴とする、ＧＰＲＳ基地局による通信方法。
【請求項７】
前記通信方法はさらに：
前記Ａアイドルフレーム中に、前記適応多重レートアクセスバーストを前記第１移動装置から受信するステップ
を備える、請求項６記載の通信方法。
【請求項８】
前記通信方法はさらに：
前記第２移動装置への前記第１時間スロットの割当を中止するステップ
を備える、請求項６記載の通信方法。
【請求項９】
前記通信方法はさらに：
音声データ適応多重レートフレームを、前記第１時間スロットにおいて前記第１移動装置から受信するステップ
を備える、請求項６記載の通信方法。
【請求項１０】
前記通信方法はさらに：
前記５２マルチフレーム構造を用いて、前記パケット切替データを前記第２移動装置に送信するステップ
を備える、請求項６記載の通信方法。
【請求項１１】
回路切替移動装置による通信方法であって、前記通信方法は：
音声適応多重レートフレームを送信するステップと；
無音記述子第１適応多重レートフレームを送信するステップと；
適応多重レートアクセスバーストを、５２マルチフレーム構造のＡアイドルフレーム中に送信するステップと
を備えることを特徴とする、回路切替移動装置による通信方法。
【請求項１２】
前記通信方法はさらに：
前記無音記述子第１適応多重レートフレームを送信した後に、非音声データ適応多重レートフレームを送信するステップ
を備える、請求項１１記載の通信方法。
【請求項１３】
前記通信方法はさらに：
前記非音声データ適応多重レートフレームを送信した後に、無音記述子更新適応多重レートフレームを送信するステップ
を備える、請求項１２記載の通信方法。
【請求項１４】
前記通信方法はさらに：
前記無音記述子第１適応多重レートフレームを送信した後に、前記５２マルチフレームを追尾するステップ
を備える、請求項１１記載の通信方法。
【請求項１５】
前記適応多重レートアクセスバーストは：
状態０、０、０である３個の第１変調ビットを有する初期テールビットと；
状態０、０、．．．、０である１４２個の第２変調ビットを有する固定ビットと；
状態０、０、０である３個の第３変調ビットを有する最終テールビットと
を有する、請求項１１記載の通信方法。
【請求項１６】
前記適応多重レートアクセスバーストはさらに：
少なくとも１つの保護ビット
を備える、請求項１５記載の通信方法。
【請求項１７】
前記適応多重レートアクセスバーストは：
状態０、０、０である３個の第１変調ビットを有する初期テールビットと；
状態１、０、１、０、．．．、１、０である１４２個の第２変調ビットを有する固定ビットと；
状態０、０、０である３個の第３変調ビットを有する最終テールビットと
を有する、請求項１１記載の通信方法。
【請求項１８】
前記適応多重レートアクセスバーストはさらに：
少なくとも１つの保護ビット
を備える、請求項１７記載の通信方法。
【発明の詳細な説明】
【技術分野】
【０００１】
本発明は、ＧＳＭ／ＥＤＧＥ（Ｇｌｏｂａｌ  Ｓｙｓｔｅｍ  ｆｏｒ  Ｍｏｂｉｌｅ  ｃｏｍｍｕｎｉｃａｔｉｏｎｓ／Ｅｎｈａｎｃｅｄ  Ｄａｔａ  ｒａｔｅ  ｆｏｒ  ＧＳＭ  Ｅｖｏｌｕｔｉｏｎ）無線アクセスネットワークにおけるアップリンクパケット利用に関する。アップリンクパケット利用は、ＧＰＲＳ（Ｇｅｎｅｒａｌ  Ｐａｃｋｅｔ  Ｒａｄｉｏ  Ｓｅｒｖｉｃｅ）およびＥＧＰＲＳ（拡張ＧＰＲＳ）無線通信システムにおいて使用される。
【０００２】
本出願は、「Ｓｙｓｔｅｍ  ｆｏｒ  Ｃｏｍｂｉｎｉｎｇ  Ｕｐｌｉｎｋ  Ｄａｔａ  Ｂｌｏｃｋｓ  ｆｒｏｍ  ａ  Ｕｓｅｒ  ｗｉｔｈ  Ｔｒａｎｓｍｉｓｓｉｏｎ  Ｐａｕｓｅｓ  ｆｒｏｍ  ａｎｏｔｈｅｒ  Ｕｓｅｒ」という名称でＧｏｎｏｒｏｖｓｋｙらによって２００６年８月２９日に出願された特許文献１に関連する。特許文献１は、本出願の譲受人に譲受され、それに加えてこの特許文献１によって全体として包含される。
【背景技術】
【０００３】
ＧＰＲＳ（Ｇｅｎｅｒａｌ  Ｐａｃｋｅｔ  Ｒａｄｉｏ  Ｓｅｒｖｉｃｅ）は、ＧＳＭ携帯電話のユーザが利用できる移動データサービスである。ＧＰＲＳは、ＧＳＭネットワークにおいてＴＤＭＡチャネルを使用することによって、中程度の速度のデータ伝送を提供する。ＥＤＧＥは、インターネット接続のような任意のパケット切替アプリケーションに使用されうる、高度なＧＰＲＳシステムプロトコルである。ビデオサービスや他のマルチメディアのような高速データアプリケーションは、増加したデータ容量から恩恵を受ける。適応多重レート（Ａｄａｐｔｉｖｅ  Ｍｕｌｔｉ−Ｒａｔｅ、ＡＭＲ）は、音声符号化のために最適化されたオーディオデータ圧縮方法である。適応多重レートは、３ＧＰＰ  ＴＳ２６．０９３によって、標準音声符号復号器として採用されている。符号復号器は、８ビットレート、１２．２ｋｂｉｔ／ｓ、１０．２ｋｂｉｔ／ｓ、７．９５ｋｂｉｔ／ｓ、７．４０ｋｂｉｔ／ｓ、６．７０ｋｂｉｔ／ｓ、５．９０ｋｂｉｔ／ｓ、５．１５ｋｂｉｔ／ｓ、および４．７５ｋｂｉｔ／ｓを有する。ビットストリームは、適応多重レートフレームに基づき、適応多重レートフレームは、１６０個のサンプルを含み、２０ミリ秒毎に送信される。適応多重レートは、代数符号励振線形予測（Ａｌｇｅｂｒａｉｃ  Ｃｏｄｅ  Ｅｘｃｉｔｅｄ Ｌｉｎｅａｒ  Ｐｒｅｄｉｃｔｉｏｎ）、不連続送信（Ｄｉｓｃｏｎｔｉｎｕｏｕｓ  Ｔｒａｎｓｍｉｓｓｉｏｎ）、発話区間検出（Ｖｏｉｃｅ Ａｃｔｉｖｉｔｙ Ｄｅｔｅｃｔｉｏｎ）、および快適ノイズ発生（Ｃｏｎｆｏｒｔ  Ｎｏｉｓｅ  Ｇｅｎｅｒａｔｉｏｎ）のような異なる技術を用いる。
【先行技術文献】
【特許文献】
【０００４】
【特許文献１】米国特許出願１１／５１４，４０９号明細書
【発明の概要】
【発明が解決しようとする課題】
【０００５】
適応多重レートで符号化された音声を送信する移動装置を用いると、話者が会話中に言葉を切るときに、適応多重レートモジュールは音声データを送信しない。移動装置が、二重伝送モード（Ｄｕａｌ  Ｔｒａｎｓｆｅｒ Ｍｏｄｅ）をサポートしている場合に、音声データのない適応多重レートフレームは、同一装置で動作するパケット切替アプリケーションからのデータブロックに置き換えられることができる。二重伝送モードの前提は、音声電話呼のような回路切替（ＣＳ）接続と、インターネットセッションのようなパケット切替（ＰＳ）接続が、同一無線装置において同時に動作させられることである。これは、頻繁には発生しない。
【０００６】
２人の話者の会話において各話者からの音声休止の平均時間分が約５０パーセントと仮定すると、ＧＳＭ／ＥＤＧＥ無線アクセスネットワーク（ＧＥＲＡＮ）は、１ユーザからの音声休止の間に非音声データの適応多重レートフレームの使用が他のユーザからのアップリンクデータブロックで満たされることを、可能にすることが望ましい。そのような再使用は、アップリンク方向において、ＧＳＭ／ＥＤＧＥ無線アクセスネットワーク（ＧＥＲＡＮ）の容量の顕著な増加を可能にするであろう。以下の図およびそれに伴う詳細な説明を注意深く検討すると、本開示の様々な態様、特徴、および利益は、当業者により十分に明らかになるであろう。
【課題を解決するための手段】
【０００７】
無線通信システムが含む第１移動装置（第１移動局）は回路切替接続を有し、さらに適応多重レート音声符号化を用いる。この第１移動装置は、基地局によって第１時間スロットに割当される。基地局はまた、パケット切替接続を有する第２移動装置（第２移動局）を提供し、第２移動装置を第２時間スロットに割当する。第１移動装置の非音声データ適応多重レートフレーム中に、基地局は、本来割当された第２時間スロットにおいてだけでなく、第１時間スロットにおいてデータを第２移動装置に送信するよう命令する。基地局が第１移動装置から適応多重レートアクセスバースト（ＡＡＢ）を受信すると、基地局は、第２移動装置が第１時間スロットにおいてデータ送信するよう命令することを停止する。第２移動装置が第１時間スロットにおいてデータ送信するときに第２移動装置が使用する５２マルチフレーム構造は、少なくとも１つのＡアイドルフレームを含む。このＡアイドルフレームの間に、第１移動装置は、適応多重レートアクセスバーストを送信しうる。
【０００８】
非音声データ適応多重レートフレームが望まれるときに、第２移動装置が第１時間スロットにおいてデータブロックを送信することを可能にすることによって、第２移動基地のデータスループットと、基地局およびＧＰＲＳネットワークのデータ容量とが、全体として増加する。たまにＧＰＲＳとＥＧＰＲＳ（拡張ＥＧＰＲＳ）が明記されるが、ＥＧＰＲＳはＧＰＲＳの進化型であるので、詳細な記載におけるＧＰＲＳの議論はＥＧＰＲＳを暗黙のうちに含み、ＥＧＰＲＳの議論はＧＰＲＳを暗黙のうちに含む。
【図面の簡単な説明】
【０００９】
【図１】ＧＰＲＳまたはＥＧＰＲＳ無線通信システムの模式図。
【図２】（３ＧＰＰ  ＴＳ２６．０９３  ５．１．２．１章  Ｆｉｇｕｒｅ  ３からの）標準適応多重レートフレームの先行技術例。
【図３】データ伝送に使用される、先行技術の標準ＧＰＲＳまたはＥＧＰＲＳ  ５２マルチフレーム。
【図４】実施形態にしたがう、標準適応多重レートアクセスバースト。
【図５】第１実施形態にしたがう、再割当された非音声データ（Ｎ）適応多重レートフレームの時間スロットへのデータ伝送に使用される、ＧＰＲＳまたはＥＧＰＲＳ  ５２マルチフレーム。
【図６】第２実施形態にしたがう、再割当された非音声データ（Ｎ）適応多重レートフレームの時間スロットにおいてデータ伝送に使用される、ＧＰＲＳまたはＥＧＰＲＳ  ５２マルチフレーム。
【図７】ＧＰＲＳ基地局またはＥＧＰＲＳ基地局が、第１移動装置（第１移動局）の非音声データ（Ｎ）適応多重レートフレームを、第２移動装置（第２移動局）のパケット切替データに割当する方法のフローチャート。
【図８】提供基地局が非音声データ（Ｎ）適応多重レートフレームの時間スロットを第２移動装置のパケット切替データに再割当することを、第１移動装置が、回路切替接続とともに支援する方法のフローチャート。
【図９】ＧＰＲＳ移動装置またはＥＧＰＲＳ移動装置が、第１移動装置の非音声データ（Ｎ）適応多重レートフレームの間に、第２移動装置の時間スロットにおいてパケット切替データを送信する方法のフローチャート。
【発明を実施するための形態】
【００１０】
図１は、ＧＰＲＳ移動装置無線通信システムまたはＥＧＰＲＳ移動装置無線通信システム１００の模式図を示す。ＧＰＲＳ移動装置無線通信システムまたはＥＧＰＲＳ移動装置無線通信システム１００は、回路切替（ＣＳ）接続を有する第１移動装置（第１移動局）１１０と、パケット切替（ＰＳ）接続を有する第２移動装置（第２移動局）１２０と、第１移動装置１１０と第２移動装置１２０の両方のために作用（ｓｅｒｖｅ）する基地局１３０と、コアネットワーク１５０とを含む。コアネットワーク１５０は、公衆交換電話網（ＰＳＴＮ）や公衆交換データ網（Ｐｕｂｌｉｃ  Ｓｗｉｔｃｈｅｄ  Ｄａｔａ  Ｎｅｔｗｏｒｋ、ＰＳＤＮ）に通信するばかりではなく、基地局１３０にも通信する。追加移動装置、追加基地局、基地局コントローラ、コアネットワーク内の装置、およびコアネットワークに接続された装置のような多くの他の要素は、明確化のために省略されている。
【００１１】
第１移動装置１１０は、適応多重レート音声符号化を用いて割当された第１時間スロットにおいて、提供基地局１３０に無線通信する。音声情報は、電話呼を支援すべく、コアネットワーク１５０を通じてＰＳＴＮ１６０に送信される。
【００１２】
第２移動装置１２０は、コアネットワーク１５０を通じたＰＳＤＮ１７０へのパケット切替接続を用いて割当された第２時間スロットにおいて、提供基地局１３０に無線通信する。ＰＳＤＮ１７０は、インターネットの一部であるか、またはインターネットに接続されうる。
【００１３】
この構成において、期待される非音声データ（Ｎ）適応多重レートフレームが第１移動装置１１０から送信されない場合に、基地局１３０は、第２移動装置１２０に第１移動装置１１０の第１時間スロットを再割当しうる。このことは、第１移動装置１１０の不使用バンド幅から第２移動装置１２０に、データ容量の増加を提供する。回路切替接続の音声データは、厳格なレイテンシ要求を有しているため、第１移動装置１１０のユーザが電話会話中に話を再開すると、まさに次の適応多重レート（音声）フレームにおいて、第２移動装置１２０によって第１時間スロットにわたるデータ伝送に使用される５２マルチフレームの最中においてさえ、基地局１３０は無線リソースを第１移動装置１１０に割当する。
【００１４】
図２は、（３ＧＰＰ  ＴＳ２６．０９３  ５．１．２．１章  Ｆｉｇｕｒｅ  ３からの）標準適応多重レートフレーム２００の先行技術例を示す。これらの適応多重レートフレーム２００は、２０ミリ秒ごとに再発する割当された第１時間スロットにわたって、図１に示す第１移動装置１１０によって送信されうる。各適応多重レートフレームは、音声データ（Ｓ）、無音記述子データ（Ｓｉｌｅｎｃｅ  Ｄｅｓｃｒｉｐｔｏｒ  Ｄａｔａ、ＦおよびＵ）、非音声データ（Ｎ）のいずれかを含みうる。音声データ（Ｓ）適応多重レートフレームは、概念的に「実際の」音声適応多重レートフレーム２０７、２０８、２０９と、「ハングオーバー」音声適応多重レートフレーム２１１、２１２、２１３、２１４、２１５、２１６、２１７とに分離されうる。７つの適応多重レートフレームのハングオーバー期間は、適応多重レート符号復号器に、電話呼のバックグラウンドノイズの解析と、無音記述子（ＳＩＤ）の更新とのための時間を与える。ハングオーバー期間後に、無音記述子は、無音記述子第１（Ｆ）適応多重レートフレーム２５０に含まれ、電話呼の音響的バックグラウンドノイズ（快適ノイズ）の情報を伝達する。
【００１５】
無音記述子第１（Ｆ）適応多重レートフレーム２５０の後に、ユーザが話し始めることによって音声データ（Ｓ）適応多重レートフレームが再開されるまで（図示せず）、非音声データ（Ｎ）適応多重レートフレーム２６０、２６１、２７１、２７２、２７３、２７４、２７５、２７６、２７７は送信されえ、無音記述子更新（Ｕ）適応多重レートフレーム２５３、２５５によって周期的に割込みされうる。非音声データ（Ｎ）適応多重レートフレームは、情報を伝達しない。移動装置が同時パケット切替接続を有している場合、二重伝送モード（ＤＴＭ）は、非音声データ（Ｎ）適応多重レートフレーム中にパケットデータを送信すべく使用されうる。しかし、移動装置が同時パケット切替接続を有していない場合（これは一般の使用ケースである）、無線リソースは、非音声データ（Ｎ）適応多重レートフレーム中には無駄である。
【００１６】
（図１に示される第１移動装置１１０のような）１つの移動装置の非音声データ（Ｎ）適応多重レートフレームの時間スロットを、（図１に示される基地局１３０のような）同一基地局によって提供される（図１に示される第２移動装置１２０のような）他の移動装置に割当することによって、第２移動装置１２０のスループットは、第１移動装置１１０の音声呼に悪影響をほとんど与えることなく、増加しうる。
【００１７】
図３は、先行技術のＧＰＲＳまたはＥＧＰＲＳのデータ伝送に使用される５２マルチフレーム３００を示す。ＧＰＲＳ  ５２マルチフレーム３００内の５２フレームは、共通用語「フレーム」であるにもかかわらず、適応多重レートフレームの同一特性を有していないことを記す。実際に、適応多重レートフレームの再発生（２０ミリ秒）は、１つのＧＰＲＳとＥＧＰＲＳフレームよりむしろ、１つのＧＰＲＳデータブロックに等しい。
【００１８】
５２マルチフレーム３００は、３つの連続ＧＰＲＳデータブロック３１０、３１１、３１２（それぞれ４つのＧＰＲＳフレームからなる）に分解される。次にくるのは、パケットタイミング制御チャネル（ＰＴＣＣＨ）情報に使用される命令であるＴフレーム３９１である。３つのさらなるＧＰＲＳデータブロック３１３、３１４、３１５が続き、それから命令のＸアイドルが続く。それから、３つのさらなるＧＰＲＳデータブロック３１６、３１７、３１８、および他のＴフレーム３９５が続き、最終の３つのＧＰＲＳデータブロック３１９、３２０、３２１、および他のＸアイドルフレーム３９７が続く。
【００１９】
ユーザが話し始めた直後に（任意の時間である）第１移動装置１１０が適応多重レートフレームを再開することを可能にすべく、第１移動装置１１０は、第２移動装置１２０が５２マルチフレームアップリンク送信中であることと、適応多重レートフレームが必要とされていることとを、基地局１３０に知らせることが重要である。
【００２０】
図４は、実施形態にしたがう、適応多重レートアクセスバースト（ＡＡＢ）４００を示す。適応多重レートアクセスバースト４００は、第１移動装置１１０が適応多重レート（音声）フレームを再開し、したがって第１時間スロットが、適応多重レートフレームを送信する第１移動装置１１０によって必要とされていることを、提供基地局（たとえば、図１の基地局１３０）に示すことを許可する。適応多重レートアクセスバーストが基地局１３０によって受信されるときに、基地局１３０は、第２移動装置１２０への第１時間スロットの再割当を中止する。
【００２１】
適応多重レートアクセスバースト４００には、３つの初期テールビット４０３、固定数の固定ビット４１０、３つの最終テールビット４０５、および可変数の保護ビット４１５が存在する。固定ビット４１０の先端と基端に位置する初期テールビット４０３と最終テールビット４０５は、固定ビット４１０の先端と終端の範囲を定め、信号のデータメッセージ部の適応等化（ｅｑｕａｌｉｚａｔｉｏｎ）を支援する。初期テールビット４０３と最終テールビット４０５は、それぞれ以下の記述によって変調ビットとして規定される。
【００２２】
（ＢＮ０、ＢＮ１、ＢＮ２）＝（０、０、０）および
（ＢＮ１４５、ＢＮ１４６、ＢＮ１４７）＝（０、０、０）  。
固定ビット４１０は、以下の記述によって、適応多重レートアクセスバースト信号情報を含む変調ビットとして規定される。
【００２３】
（ＢＮ３、ＢＮ４、．．．、ＢＮ１４４）＝（０、０、．．．、０）  。
適応多重レートアクセスバースト４００は、周波数訂正バースト（Ｆｒｅｑｕｅｎｃｙ  Ｃｏｒｒｅｃｔｉｏｎ  Ｂｕｒｓｔ。ＦＣＢ）のアップリンク複製となるように選択される。周波数訂正バーストは、ＧＥＲＡＮネットワークのダウンリンク方向においてのみ使用される。コンパクト周波数訂正バースト（コンパクトＦＣＢ）がダウンリンク方向において使用される場合、対応の適応多重レートアクセスバーストは、「固定ビット」４１０を備えるべく容易に修正される。「固定ビット」４１０は、以下で記述される。
【００２４】
（ＢＮ３、ＢＮ４、ＢＮ５、ＢＮ６、．．．、ＢＮ１４３、ＢＮ１４４）＝（１、０、１、０、．．．、１、０）  。
適応多重レートアクセスバーストの可変数の保護ビット４１５は従来型である。ＧＥＲＡＮシステムにおいて、移動装置の同期は、タイミングアドバンスコマンドを提供基地局１３０から送信することによって達成される。タイミングアドバンスコマンドは、移動装置に事前にかつどれくらいの量を送信するかを命令する。このことは、特定の移動装置と提供基地局１３０の間の伝達遅延を補償する。移動装置は、全体の時間スロットに亘って送信することを許可されていない。なぜなら、各時間スロットの終端には保護インターバルが存在するからである。送信が保護期間に移ると、移動ネットワークは、送信の同期に先立ちタイミングを調整する。
【００２５】
図５は、第１実施形態にしたがって、再割当された非音声データ（Ｎ）適応多重レートフレームの時間スロットに対するデータ伝送に使用される、ＧＰＲＳまたはＥＧＰＲＳ  ５２マルチフレーム５００を示す。この５２マルチフレーム５００は、８つのＧＰＲＳデータブロック５１０、５１１、５１２、５１３、５１４、５１５、１５６、５１７と、１６のＡアイドルフレーム５３０、５３１、５３２、５３３、５３４、５３５、５３６、５３７、５３８、５３９、５４０、５４１、５４２、５４３、５４４、５４５と、５２マルチフレームの２つの命令のＴフレーム５９１、５９５と、５２マルチフレームの２つの命令のＸフレーム５９３、５９７とに適合しうる。
【００２６】
第１移動装置１１０のユーザが話を再開したときに、Ａアイドルフレームは、適応多重レートアクセスバースト（図４の適応多重レートアクセスバースト４００を参照）を送信する時間期間を、第１移動装置１１０に提供する。各ＧＰＲＳデータブロック５１０、５１１、５１２、５１３、５１４、５１５、５１６、５１７と、各命令のＴフレーム５９１、５９５と、各命令のＸフレーム５９３、５９７との前後において、少なくとも１つのＡアイドルフレームが存在する。このことは、第１移動装置１１０の非音声データ（Ｎ）適応多重レートフレーム中に、第２移動装置１２０が第１時間スロットを使用するときに、第２移動装置１２０によって、任意のＧＰＲＳデータブロック、Ｔフレーム、またはＸフレームが送信されたあとに、適応多重レートアクセスバースト（図４の適応多重レートアクセスバースト４００を参照）を送信する第１移動装置１１０の１つのＧＰＲＳフレーム時間期間が存在することを意味する。このように５２マルチフレーム５００を構築することによって、第１移動装置１１０は、（１つのＧＰＲＳデータブロックまたは２０ミリ秒に等しい）４つのＧＰＲＳフレームを超えて適応多重レートアクセスバーストを遅延させる必要がない。
【００２７】
５２マルチフレームにおけるＴフレーム５９１、５９５とＸフレーム５９３、５９７の配置は強制的であるので、Ａアイドルフレームを含む追加の機会が存在する。この第１実施形態において、追加のＡアイドルフレーム５３３、５３７、５４１、５４５は、５２マルチフレームにおけるＴフレーム４９１、４９５とＸフレーム４９３、４９７それぞれの直前に配置される。
【００２８】
図６は、第２実施形態にしたがって、再割当された非音声データ（Ｎ）適応多重レートフレームの時間スロットに対するデータ伝送に使用されるＧＰＲＳまたはＥＧＰＲＳ  ５２マルチフレーム６００を示す。この第２実施形態において、各データブロック６１０、６１１、６１２、６１３、６１４、６１５、６１６、６１７の間に、少なくとも２つのＡアイドルフレーム６３１、６３２、６３３、６３４、６３５、６３６、６３７、６３８、６３９、６４０、６４１、６４２、６４３、６４４、６４５フレームが存在するように、追加のＡアイドルフレーム６３２、６３６、６４０、６４４は位置する。一方、この５２マルチフレーム６００は依然として、５２マルチフレームにおける、Ｔフレーム６９１、６９５とＸフレーム６９３、６９７の強制的配置を支持する。
【００２９】
ＴフレームとＸフレームの強制的配置が維持されるように、代替の５２マルチフレームは構築されうる。このとき、第１移動装置１１０の非音声データ（Ｎ）適応多重レートフレーム中の第１移動装置１１０の第１時間スロットにおいて、第２移動装置１２０からのＧＰＲＳデータブロックが送信されることが許可される。この詳細な開示において示される５２マルチフレーム５００、６００は、Ａアイドルフレーム間にたった４つのＧＰＲＳフレームしか有しないが、適応多重レートのレイテンシの増加が許可されるのであれば、Ａアイドル間に４つを超えるＧＰＲＳフレームを有することも可能である。
【００３０】
図７は、ＧＰＲＳ基地局またはＥＧＰＲＳ基地局１３０が、１つの移動装置の非音声データ（Ｎ）適応多重レートフレームの時間スロットを、他の移動装置のパケット切替データに再割当する方法のフローチャートである。（図１の基地局１３０のように）基地局は、（図１に示される第１移動装置１１０のような）第１移動装置と、（図１に示される第２移動装置１２０のような）第２移動装置との両方に作用（ｓｅｒｖｅ）するので、基地局１３０は、作用される第１移動装置１１０と第２移動装置１２０それぞれのＧＰＲＳフレーム数と５２マルチフレーム数を把握する。すべての移動装置、つまり第１移動装置１１０と第２移動装置１２０は同期される。
【００３１】
フローチャート７００が基地局１３０においてステップ７０１を開始すると、ステップ７１０において基地局１３０は、第１移動装置１１０から、第１移動装置１１０に割当された第１時間スロットにおける適応多重レートアクセスバーストを受信する。適応多重レート音声バーストは、（図２に示される音声データ（Ｓ）適応多重レートフレーム２０７、２０８、２０９のような）数Ｓの適応多重レートフレームの間、継続する。無音記述子第１（Ｆ）適応多重レートフレーム（図２の無音記述子第１（Ｆ）適応多重レートフレーム２５０を参照）がステップ７２０において受信されない限り、適応多重レートアクセスバーストは、ステップ７１０において受信され続ける。
【００３２】
無音記述子第１（Ｆ）適応多重レートフレームがステップ７２０において受信されると、基地局１３０は第１時間スロットを、第２移動装置１２０のアップリンクデータブロックに割当する。ここで、第１時間スロットは、第１移動装置１１０に対する音声休止の非音声データ（Ｎ）適応多重レートフレーム（非音声データ（Ｎ）適応多重レートフレーム２６０、２６１、２７１、２７２、２７３、２７４、２７６、２７７を参照）を受信する。第２移動装置１２０からの各アップリンクデータブロックは、ヘッダ情報を用いて、基地局１３０によって個別に制御されうる。そして、適応多重レートアクセスバースト（図４の適応多重レートアクセスバースト４００を参照）が、第１移動装置１１０から基地局１３０によってステップ７４０において受信される限り、基地局１３０は、第１時間スロットを、ブロックごとの方式で第２移動装置１２０に割当しうる。
【００３３】
５２マルチフレーム５００、６００のＡアイドルフレームにおいて、適応多重レートアクセスバーストがステップ７４０において基地局１３０によって第１移動装置１１０から受信されると、基地局１３０は、ステップ７５０において第１移動装置１１０から非音声データ（Ｎ）適応多重レートフレームに対応する第１時間スロットの割当を中止し、基地局１３０はステップ７１０において第１時間スロットにおいて第１移動装置１１０からの音声データ（Ｓ）適応多重レートフレームを受信するように戻る。第１移動装置１１０は常に、それ自身の時間スロットに対して優先権を有していることを記す。非音声データ（Ｎ）適応多重レートフレームにおける第１移動装置１１０の時間スロットの再割当は、基地局１３０が第２移動装置１２０の既存のパケット切替接続をいくつかの追加データスループットとともに補足することを可能にする。ここで、データスループットは、第１移動装置１１０の未使用無線リソースから得られる。また、ただ１つの「第２移動装置」である必要はない。基地局１３０によって作用されるパケット切替接続を有する他の複数の移動装置が存在する場合、基地局１３０は、任意の数のこれらの他の移動装置から非音声データ（Ｎ）適応多重レートフレームの時間スロットを分けるべく選択する。５２マルチフレームは１基地局１３０および作用される移動装置にわたってすべて同期されるので、そしてデータブロックは基地局１３０によって別々に割当されうるので、第１移動装置１１０の非音声データ（Ｎ）適応多重レートフレーム時間スロットの、１以上の「第２移動装置」のデータブロックへの割当において、基地局１３０は完全に制御できる。
【００３４】
無音記述子更新（Ｕ）適応多重レートフレームは、各８番目の適応多重レートフレーム（図２における、無音記述子更新（Ｕ）適応多重レートフレーム２５３、２５５を参照）において送信されるので、基地局１３０は優先権を第１移動装置１１０から無音記述子更新（Ｕ）適応多重レートフレームに与えることができ、無音記述子更新（Ｕ）適応多重レートが第１移動装置１１０から望まれるときに、第１時間スロットを第２移動装置１２０に再割当することはできない。残念ながら、無音記述子更新（Ｕ）適応多重レートフレームの周波数は、基地局１３０が時間スロットを第２移動装置１２０に再割当する機会を減らす。これを軽減すべく、無音記述子更新（Ｕ）適応多重レートフレームが５２マルチフレーム５００、６００においてＡアイドルフレームに一致するときに、第１移動装置１１０は、無音記述子更新（Ｕ）適応多重レートフレーム２５３、２５５を単に送信するよう基地局１３０によって命令されうる。他の選択肢は、無音記述子更新（Ｕ）適応多重レートフレームの送信を省略し、無音記述子（ＳＩＤ）第１（Ｆ）適応多重レートフレーム（図２に示される無音記述子第１（Ｆ）適応多重レートフレーム２５０）を送信するのみにすることである。さらに、基地局１３０は無音記述子更新（Ｕ）適応多重レートフレームのタイミングと、５２マルチフレームのタイミングと、他の移動装置のパケット切替接続とを認識しているので、損傷のないまま無音記述子更新（Ｕ）適応多重レートフレームを維持したり、適応多重レートフレームを機会に応じて維持したり、第２移動装置１２０のデータスループットを増加させたりする様々な要素や、他の要素や、要素の相対的優先度に基づき、基地局１３０は適応多重レートフレームの使用を制御できる。
【００３５】
図８は、第１移動装置１１０が回路切替接続を有し、基地局１３０が非音声データ（Ｎ）の適応多重レートの時間スロットを、第２移動装置１２０のパケット切替データに再割当することを支援する方法のフローチャート８００を示す。ステップ８０１の開始にあたって、（図１に示される第１移動装置１１０のような）移動装置は、ステップ８１０において音声データ（Ｓ）適応多重レートフレーム（図２のＳ  適応多重レートフレーム２０７、２０８、２０９を参照）を送信する。ハングオーバー期間の後（この期間において、図２の音声データ（Ｓ）適応多重レートフレーム２１１、２１２、２１３、２１４、２１５、２１６、２１７が依然として送信されている）、第１移動装置１１０はステップ８２０において、無音記述子第１（Ｆ）適応多重レートフレーム（図２における無音記述子第１（Ｆ）適応多重レートフレームを参照）を送信する。
【００３６】
無音記述子第１（Ｆ）適応多重レートフレームがステップ８２０において送信された後、第１移動装置１１０はステップ８３０において５２マルチフレームを追尾する。基地局１３０によって作用される全ての移動装置（第１移動装置１１０と第２移動装置１２０）は同期されるので、第２移動装置１２０は、第１移動装置１１０がパケット切替データを送信していないときでさえも、５２マルチフレームの開始点と構造を認識する。
【００３７】
現在３ＧＰＰ  ＴＳ２６．０９３によって必要とされるように、無音記述子更新（Ｕ）適応多重レートフレーム（図２の無音記述子更新（Ｕ）適応多重レートフレーム２５３、２５５を参照）が８番目の適応多重レートフレームごとに送信されると仮定すると、第１移動装置１１０はステップ８４０において、それぞれ８個の適応多重レートごとに無音記述子更新（Ｕ）適応多重レートフレームを送信する。音声バーストが、第１移動装置１１０のユーザによってステップ８５０において検出されない場合に、第１移動装置１１０はステップ８３０において５２マルチフレームを追尾し続ける。
【００３８】
無音記述子更新（Ｕ）適応多重レートフレームの周波数が修正されると、そのときは修正された周波数に基づき、無音記述子更新（Ｕ）適応多重レートフレームは送信されうる。たとえば、無音記述子更新（Ｕ）適応多重レートフレームが５２マルチフレームのＡアイドルフレームに一致するときのみに、または無音記述子更新（Ｕ）適応多重レートフレームが完全に省略されうるときにのみに、無音記述子更新（Ｕ）適応多重レートフレームは送信されうる。
【００３９】
音声バーストがステップ８５０において第１移動装置１１０によって検出されると、第１移動装置１１０は、ステップ８６０において、５２マルチフレームの次のＡアイドルフレーム中に適応多重レートアクセスバースト（図４に示される適応多重レートアクセスバースト４００を参照）を送信する。その後、第１移動装置１１０は、ステップ８１０において音声バーストを、音声データ（Ｓ）適応多重レートフレームに送信し、前述のように継続する。
【００４０】
フローチャート８００のほとんどのステップは、適応多重レート音声符号化を使用するときに、従来の移動装置によって実行されていることを記す。適応多重レートアクセスバーストが音声バースト後に次の利用可能なＡアイドルフレーム中にステップ７６０において送信されうるように、ステップ８３０における５２マルチフレームの追尾は明白に言及されているが、第１移動装置１１０は暗示的に５２マルチフレームを単に追尾する。なぜなら、単一の基地局１３０の作用されるすべての移動装置（第１移動装置１１０と第２移動装置１２０）は同期しているからである。
【００４１】
図９は、ＧＰＲＳ移動装置またはＥＧＰＲＳ移動装置である第２移動装置１２０が、第１移動装置１１０の非音声データ（Ｎ）適応多重レートフレームの間に、パケット切替データを第１移動装置１１０の時間スロットに送信する方法のフローチャートを示す。この第２移動装置１２０は、図２に示される第２移動装置１２０のような１以上の第２移動装置である。第２移動装置１２０が、ステップ９０１においてパケット切替接続を開始すると、第２移動装置１２０は、ステップ９１０において、いつものように初期の時間スロットの割当にデータを送信する。第２移動装置１２０が、ステップ９２０において、第１移動装置１１０（異なる移動装置）からの非音声データ（Ｎ）適応多重レートフレームの時間スロットの再割当を示す追加のスロット割当を受信すると、そのときに第２移動装置１２０は、ステップ９３０において、基地局１３０によって命令されるように、初期の時間スロット割当と追加の時間スロット割当にデータを送信する。他の場合は、第２移動装置１２０は、ステップ９１０において、初期の時間スロット割当のみにデータを送信し続ける。したがって、第２移動装置１２０の処理に対していかなる調整をする必要もない。常のごとく、第２移動装置１２０は、提供基地局１３０によって命令されるように、データを送信する。
【００４２】
つまり、基地局１３０は、適応多重レート符号化を使用する第１移動装置１１０の回路切替接続に最初に割当された第１アップリンク時間スロットを、再割当しうる。再割当は、１以上の移動装置に、パケット切替接続とともに実行されえ、アップリンクデータ伝送速度を増加させる。基地局１３０が無音記述子第１（Ｆ）適応多重レートを回路切替第２移動装置１２０から受信すると、基地局１３０は未来の非音声データ（Ｎ）適応多重レートフレームと、無音記述子更新（Ｕ）適応多重レートフレームとの配置を予想しうる。非音声データ（Ｎ）適応多重レートフレームは情報を伝送しないので、非音声データ（Ｎ）適応多重レートフレームの無線リソース（たとえば、アップリンク時間スロット）は、同一基地局１３０によって作用されるパケット切替移動装置に再割当されうる。パケット切替移動装置の５２マルチフレームは、十分な機会（たとえば、Ａアイドルフレーム）を提供する。この十分な機会に、回路切替移動装置は、どのタイミングで時間スロットが音声データ（Ｓ）適応多重レートフレームの回路切替移動装置によって必要となるかを、基地局１３０に知らせうる。
【００４３】
本方法はまた、ダウンリンク方向に適用可能である。なぜなら、ネットワークは、音声休止がいつ始まり、いつ終わるかのような移動体のユーザ情報を認識しているからである。
【００４４】
本開示は、発明者によって所有され、かつ当業者に本発明を使用できるような方法で記述された発明の最良の形態として考えられるものを含んでいるが、ここで開示された実施形態の多くの均等物が存在することと、修正と変化が本発明の範囲と精神から逸脱することなくなされうることを当業者は理解するであろう。これらの修正と変化は、実施形態によっては限定されず、本出願の係属中になされる任意の補正と、記述されたこれらの請求項のすべての均等物とを含む、係属する請求項によってのみ限定される。
【００４５】
第１および第２、トップおよびボトム、といった関連用語の使用は、それらの実態、用語、または行為の間の任意の実際の関係または順番を必要としたり暗示したりすることなく、単に１つを他の実態、用語、または行為から区別するために使用されることが、さらに理解される。多くの発明的機能と多くの発明の原理は、ソフトウェアプログラムまたは命令とともに、またはソフトウェアプログラムまたは命令において、最良に実行される。例えば利用可能な時間、現在の技術、および経済的な考慮によって動機付けされる可能な限りの顕著な努力と多くの設計選択にかかわらず、当業者は、ここに開示された概念および原理によって導入されると、最小の実験でそのようなソフトウェア命令やプログラムを生成することができるであろう。したがって、そのようなソフトウェアのさらなる議論は、本発明にしたがう原理および概念を分かりにくくするいかなるリスクも最小にするよう限定されるであろう。
【００４６】
当業者によって理解されるように、各移動装置と基地局に位置するコントローラは、ここで記述された方法を実行するためのコンピュータプログラムコードを実行するプロセッサを含む。実施形態は、フロッピー（登録商標）ディスク、ＣＤ−ＲＯＭ、ハードドライブ、または任意の他のコンピュータが読み込み可能な記憶媒体のような具体的な媒体に具現化された命令を含むコンピュータプログラムコードを含む。コンピュータプログラムコードがロードされ、プロセッサによって実行されると、プロセッサは本発明を実行する装置となる。実施形態は、電気的配線またはケーブルといったいくつかの送信媒体を通じて送信されたり、ファイバーオプティックス経由または電磁気放射を通じて、例えば、記憶媒体に格納されたり、コンピュータにロードされたり、実行されたり、するコンピュータプログラムコードを含む。このコンピュータプログラムコードが、ロードされコンピュータによって実行されると、コンピュータは本発明を実施するための装置となる。汎用のマイクロプロセッサにおいて実行されると、コンピュータプログラムコードのセグメントは、マイクロプロセッサを、特定の論理回路を生成するよう構成する。
【図１】
2010533398.tif 000003
【図２】
2010533398.tif 000004
【図３】
2010533398.tif 000005
【図４】
2010533398.tif 000006
【図５】
2010533398.tif 000007
【図６】
2010533398.tif 000008
【図７】
2010533398.tif 000009
【図８】
2010533398.tif 000010
【図９】
2010533398.tif 000011
【国際調査報告】
2010533398.tif 000012
2010533398.tif 000013
2010533398.tif 000014